(57)【要約】【課題】サービス対象の商品組合せ条件が新たに設定された際に、その対象となる一方の商品を設定日前に購入していれば他方の商品を設定日以後に購入することによってサービスを受けられるようにする。【解決手段】入力された買品情報を登録明細メモリに記憶する。また、当該顧客の過去取引の買上商品情報を登録履歴メモリに記憶する。登録明細メモリの買上商品情報と登録履歴メモリの買上商品情報とから、サービス対象の商品組合せ条件が成立するか否かを判定する。商品組合せ条件が成立すると判定されると、今回取引に対してサービス処理を行う。その後、登録明細メモリの買上商品情報を登録履歴メモリに追加する。【選択図】      図７
2005234951.tif 000002
【特許請求の範囲】
【請求項１】
入力手段を介して入力された買上商品情報に基づいて今回取引の買上商品販売データを処理する商品販売データ処理装置において、
前記入力手段を介して入力された買上商品情報と記憶部に記憶されている過去取引の買上商品情報とからサービス対象の商品組合せ条件が成立するか否かを判定する商品組合せ条件判定手段と、
この商品組合せ条件判定手段により前記商品組合せ条件が成立すると判定されると今回取引に対してサービス処理を行うサービス処理手段と、
前記入力手段を介して入力された買上商品情報を前記記憶部に追加する買上商品履歴追加手段と、
を具備したことを特徴とする商品販売データ処理装置。
【請求項２】
記憶媒体に記憶されている過去取引の買上商品情報を読取り前記記憶部に記憶させる情報読取手段と、
前記記憶部に記憶された買上商品情報を前記記憶媒体に記憶させる情報書込み手段と、
をさらに具備したことを特徴とする請求項１記載の商品販売データ処理装置。
【請求項３】
商品組合せ条件判定手段の判定に用いる商品組合せ条件は期間データを含むものであり、前記商品組合せ条件判定手段は、前記入力手段を介して入力された買上商品情報と前記期間データにより指定された期間内の過去取引の買上商品情報とから特定の商品組合せ条件が成立するか否かを判定する手段であることを特徴とする請求項１または２記載の商品販売データ処理装置。
【請求項４】
入力手段を介して入力された買上商品情報に基づいて今回取引の買上商品販売データを処理する商品販売データ処理装置において、
前記入力手段を介して入力された客の買上商品情報を記憶する登録明細メモリと、
当該客の過去取引の買上商品情報を記憶する登録履歴メモリと、
前記登録明細メモリの買上商品情報と前記登録履歴メモリの買上商品情報とからサービス対象の商品組合せ条件が成立するか否かを判定する商品組合せ条件判定手段と、
この商品組合せ条件判定手段により前記商品組合せ条件が成立すると判定されると今回取引に対してサービス処理を行うサービス処理手段と、
前記登録明細メモリの買上商品情報を前記登録履歴メモリに追加する買上商品履歴追加手段と、
を具備したことを特徴とする商品販売データ処理装置。
【発明の詳細な説明】
【技術分野】
【０００１】
本発明は、今回の買上商品と過去の買上商品とによるまとめ値引等のサービス処理が可能なＰＯＳ（Point Of Sales）ターミナル，電子式キャッシュレジスタ等の商品販売データ処理装置に関する。
【背景技術】
【０００２】
スーパーマーケット等の小売店では、顧客サービスの一貫として、特定の商品を組合せて購入すると値引のサービスが受けられる、いわゆるまとめ値引が広く普及している。
【０００３】
この種のまとめ値引に対応した従来のＰＯＳターミナルとして、今回取引で購入された商品の中にまとめ値引対象ではあるがその組合せ対象である商品を購入していなかったために組合せ条件が成立しなかった商品があるとき、その組合せ条件未成立の商品を識別する商品情報を印字したクーポン券を発行し、次回以降の取引でクーポン券に印字された商品情報を読取り、この商品情報によって認識された商品と今回取引で登録された商品とにより組合せ条件が成立すると値引を行うようにして、以前に購入した商品と今回購入した商品とのまとめ値引サービスを受けられるようにしたものは既に知られている（例えば、特許文献１参照）。
【特許文献１】特許第３０２２０５３号公報
【発明の開示】
【発明が解決しようとする課題】
【０００４】
しかしながら、複数の取引を跨るまとめ値引等のサービスを可能にした従来のＰＯＳターミナルにおいては、サービス対象ではあるが組合せ対象の商品が購入されていなかったために組合せ条件が成立しなかった商品でないとクーポン券が発行されなかったので、サービス対象の商品組合せ条件が新たに設定された際に、その対象となる一方の商品を設定日前に購入していた場合には他方の商品を設定日以後に購入してもサービスを受けられないという不満が顧客にあった。
【０００５】
本発明はこのような事情に基づいてなされたもので、その目的とするところは、サービス対象の商品組合せ条件が新たに設定された際に、その対象となる一方の商品を設定日前に購入していれば他方の商品を設定日以後に購入することによってサービスを受けることができ、顧客への更なるサービスの向上を図り得、顧客の囲い込みが期待できる商品販売データ処理装置を提供しようとするものである。
【課題を解決するための手段】
【０００６】
本発明の商品販売データ処理装置、例えばＰＯＳターミナル，電子式キャッシュレジスタ等は、例えばキーボード，スキャナ等の入力手段を介して入力された買上商品情報と記憶部に記憶されている過去取引の買上商品情報とからサービス対象の商品組合せ条件が成立するか否かを判定する商品組合せ条件判定手段と、商品組合せ条件が成立すると判定されると今回取引に対して例えば値引，割引，ポイント割増．クーポン券の発行等のサービス処理を行うサービス処理手段と、入力手段を介して入力された買上商品情報を記憶部に追加する買上商品履歴追加手段とを備えたものである。
【発明の効果】
【０００７】
かかる手段を講じた本発明によれば、サービス対象の商品組合せ条件が新たに設定された際に、その対象となる一方の商品を設定日前に購入していれば他方の商品を設定日以後に購入することによってサービスを受けることができ、顧客への更なるサービスの向上を図り得、顧客の囲い込みが期待できる商品販売データ処理装置を提供できる。
【発明を実施するための最良の形態】
【０００８】
以下、本発明の実施の形態を図面を用いて説明する。  
なお、この実施の形態は、過去の取引で買上げた商品と今回の取引で買上げた商品との間でサービス対象商品の組合せ条件が成立した場合にサービス処理として値引を行う商品販売データ処理装置に本発明を適用した場合である。
【０００９】
図１は本実施の形態の商品販売データ処理装置を用いた小売店システムの全体構成概略図であって、このシステムは、複数の店舗Ａ，Ｂと、各店舗Ａ，Ｂを統轄する本部Ｃとの間で構築されている。すなわち、各店舗Ａ，Ｂには商品販売データ処理装置としてのＰＯＳターミナル１及びその上位機としてのストアコンピュータ２がそれぞれ設置され、本部Ｃには本部サーバとしてのコンピュータ２が設置される。そして、各店舗Ａ，Ｂのストアコンピュータ２と本部サーバ用コンピュータ３とがＷＡＮ（Wide Area Network）４で双方向のデータ通信可能に接続されて、小売店システムが構築されている。
【００１０】
各店舗Ａ，Ｂでは、それぞれＰＯＳターミナル１とストアコンピュータ２とがＬＡＮ（Local Area Network）５で双方向のデータ通信可能に接続されて、ＰＯＳシステムが構築されている。各ＰＯＳターミナル１には、それぞれメモリカード６に対してデータの読み書きが可能なインターフェイスが設けられている。
【００１１】
メモリカード６は、当該小売店システムが構築された小売店の会員カードとして機能するものであって、例えばＩＣカードが使用されている。このメモリカード６の内部メモリには、会員固有の会員番号が固定的に記憶されている。また、図２に示すように、当該会員が当該小売店で買上げた商品の登録履歴データとして、買上日付と、その日に買上げた商品の商品コードと、値引済フラグの各データが対応付けられて書換可能に記憶されている。値引済フラグは、デフォルト状態として“０”にリセットされており、対応する商品コードの商品がサービス対象商品の組合せ条件成立によって値引処理されると“１”にセットされる。
【００１２】
各店舗Ａ，Ｂのストアコンピュータ２には、ＨＤＤ（Hard Disk Drive）装置等の記憶部にそれぞれ組合せ条件ファイル７が保存されている。この組合せ条件ファイル７には、図３に示すように、まとめ値引サービスを受けられる商品の組合せ条件を示す第１及び第２の対象商品コードと、指定期間データと、値引額とが対応付けられて番号順に設定されている。商品組合せ条件が変更される毎に本部サーバ用コンピュータ３で最新のファイルが作成され、ＷＡＮ４を介して各店舗Ａ，Ｂのストアコンピュータ２にダウンロードされて、組合せ条件ファイル７が更新されるようになっている。
【００１３】
本部サーバ用コンピュータ３には、顧客データベース８が接続されている。顧客データベース８では、各会員の会員番号別に、氏名，住所，電話番号，性別等の個人情報が記憶管理されている。
【００１４】
図４はＰＯＳターミナル１の要部構成を示すブロック図である。ＰＯＳターミナル１は、制御部本体を構成するＣＰＵ（Central Processing Unit）１１の他、ＲＯＭ（Read Only Memory）１２、ＲＡＭ（Random Access Memory）１３、時計部１４、通信インターフェイス１５、メモリカードインターフェイス１６、Ｉ／Ｏポート１７、キーボードコントローラ１８、第１の表示コントローラ１９、第２の表示コントローラ２０、プリンタコントローラ２１、スキャナコントローラ２２等で構成されている。ＣＰＵ１１と、ＲＯＭ１２，ＲＡＭ１３，時計部１４，通信インターフェイス１５，メモリカードインターフェイス１６，Ｉ／Ｏポート１７及び各コントローラ１８〜２２とは、アドレスバス，データバス等のバスライン２３で接続されている。
【００１５】
時計部１４では現在の日付及び時刻が計時される。通信インターフェイス１５にはＬＡＮ５が接続され、ストアコンピュータ２との間の通信が制御される。メモリカードインターフェイス１６にはメモリカード６が着脱自在に装着され、このメモリカード６の内部メモリに対してデータの書込み，読取りが行われる。
【００１６】
Ｉ／Ｏポート１７には、モードスイッチ２４の信号が入力される。また、ＣＰＵ１１の制御によりＩ／Ｏポート１７を介してドロワ２５に開放指令信号が出力されるようになっている。モードスイッチ２４は、「登録」，「点検」，「精算」等の各種業務モードを択一的に切り換えるもので、「登録」とは、入力手段を介して入力された買上商品情報に基づいて今回取引の買上商品販売データをＲＡＭ１３の所定メモリエリアに登録処理する業務のモードである。
【００１７】
キーボードコントローラ１８には、買上商品の商品コードを入力するためのキーや、１取引の登録締めを宣言する締めキー等が配設されたキーボード２６が接続されている。締めキーには、会員用の締めキーと非会員用の締めキーとがある。スキャナコントローラ２２には、商品に付されたバーコードを光学的に読取るためのスキャナ２７が接続されている。各商品には、それぞれその商品の商品コードを示すバーコードが付されている。キーボード２６とスキャナ２７は、入力手段を構成する。
【００１８】
第１の表示コントローラ１９には、オペレータ（キャッシャ）に対して登録商品の名称，金額，合計金額，釣銭額等を表示するためのオペレータ用表示器２８が接続されている。第２の表示コントローラ２０には、買物客に対して同様なデータを表示するための客用表示器２９が接続されている。プリンタコントローラ２１には、レシートを印字するためのプリンタ３０が接続されている。
【００１９】
ＲＡＭ１３には、各種のワークエリアの他、図５に示すように、連続番号エリア，登録日エリア，商品コードエリア及び値引済フラグエリアからなる登録明細メモリ４１と、買上日付エリア，買上商品コードエリア及び値引済フラグエリアからなる登録履歴メモリ４２と、対象商品コードエリア，組合せ商品コードエリア，買上日付エリア及び値引額エリアからなる成立組合せメモリ４３と、１取引の値引額を記憶する値引額メモリ４４と、登録中フラグを記憶するフラグメモリ４５と、カウントデータＡを記憶するカウンタメモリ４６とが形成されている。
【００２０】
ＣＰＵ１１は、モードスイッチ２４により「登録」モードが選択されると、ＲＯＭ１２内のプログラム制御により、図６の流れ図に示す処理を開始する。先ず、ＣＰＵ１１は、ＳＴ（ステップ）１として商品登録が行われるのを待機する。そして、キーボード２６またはスキャナ２７の操作入力により商品コードが入力されると、当該商品コードによって識別される商品の買上登録が行われたので、ＣＰＵ１１は、ＳＴ２としてフラグメモリ４５の登録中フラグを参照して、１取引の商品登録中か否かを判断する。
【００２１】
ここで、登録中フラグが“０”にリセットされていた場合には、１取引における１点目の買上商品の登録であり商品登録中でないので、ＣＰＵ１１は、ＳＴ３として登録明細メモリ４１の各エリアをクリアする。また、ＳＴ４として時計部１４にて計時されている現在の日付を登録日として取得し、ＲＡＭ１３のワークエリアに一時記憶する。さらに、ＳＴ５として登録中フラグを“１”にセットする。
【００２２】
ＳＴ２にて登録中フラグが“１”にセットされていた場合には、１取引における２点目以降の買上商品の登録であり商品登録中なので、ＣＰＵ１１は、ＳＴ３〜ＳＴ５の処理を実行しない。
【００２３】
次に、ＣＰＵ１１は、ＳＴ６として買上登録された商品の商品コードを登録日とともに登録明細メモリ４１に記憶する。このとき、買上登録された商品の点数が複数であれば、その点数分、商品コードと登録日を記憶する。なお、値引済フラグは、デフォルト状態の“０”である。
【００２４】
次に、ＣＰＵ１１は、ＳＴ７として締めキーが入力されたか否かを判断する。ここで、締めキーが入力されず、次の商品登録が行われたならば、ＣＰＵ１１は、ＳＴ６の処理を再度実行する。すなわち、買上登録された商品の商品コードを登録点数分、登録日と共に登録明細メモリ４１に記憶する。
【００２５】
ＳＴ７にて締めキーの入力を検知した場合には、ＣＰＵ１１は、ＳＴ８としてその締めキーが会員締めキーなのか通常締めキーなのかを判別する。ここで、会員締めキーの場合には、ＣＰＵ１１は、ＳＴ９としてメモリカードインターフェイス１６に会員カードとしてのメモリカード６が装着されていることを確認する。そして確認できたならば、ＣＰＵ１１は、ＳＴ１０として登録履歴メモリ４２，値引額メモリ４４及び成立組合せメモリ４３を一端クリアした後、ＳＴ１１としてメモリカード６から登録履歴データとして保存されている買上日付，買上商品コード及び値引済フラグの各項目データを全て読込み、登録履歴メモリ４２の同一項目エリアに格納する（情報読取手段）。しかる後、ＣＰＵ１１は、図７に具体的に示す組合せ値引検索処理を実行する。
【００２６】
すなわちＣＰＵ１１は、カウンタメモリ４６のカウントデータＡを“０”に初期化した後、このカウントデータＡを“１”ずつカウントアップする。そして、カウントデータＡをカウントアップする毎に登録明細メモリ４１からそのカウントデータＡに一致する順番の商品コード（Ａ番目商品コード）と値引済フラグを取得し、値引済フラグが“０”にリセットされている場合のみ、以下の処理を実行する。
【００２７】
先ず、ＣＰＵ１１は、ＳＴ２１としてこのＡ番目商品コードが組合せ条件ファイル７に対象商品コードとして設定されているか否かをストアコンピュータ２に問合わせる。その結果、Ａ番目商品コードが対象商品コードとして設定されているとの応答がストアコンピュータ２からあった場合には、ＣＰＵ１１は、ＳＴ２２としてその対象商品コードと対応して組合せ条件ファイル７に設定されている他方の対象商品コードを組合せ商品コードとしてストアコンピュータ２から取得する。また、当該対象商品コードに対応する指定期間及び値引額の各データも取得する。
【００２８】
次に、ＣＰＵ１１は、ＳＴ２３として上記組合せ商品コードを検索キーとして登録履歴メモリ４２を買上日付の古い順に検索する。そして、ＳＴ２４として登録履歴メモリ４２から組合せ商品コードと一致する買上商品コードを検出すると、ＳＴ２５としてその買上商品コードの買上日付が現在日付より上記指定期間データによって指定される過去の期間内か否かを判断する（商品組合せ条件判定手段）。ここで、買上日付が過去の指定期間内であった場合には、商品組合せ条件が成立したので、ＣＰＵ１１は、ＳＴ２６として対象商品コードであったＡ番目商品コードと、組合せ商品コードと一致した買上商品コード及びその買上日付と、上記値引額とを成立組合せメモリ４３に格納する。また、ＳＴ２７として値引額メモリ４４に上記値引額を加算する（サービス処理手段）。さらに、ＳＴ２８として登録明細メモリ４１のＡ番目商品コードに対応する値引済フラグと、登録履歴メモリ４２の組合せ商品コードと一致した買上商品コードに対応する値引済フラグとを、それぞれ“１”にセットする。
【００２９】
これに対し、ＳＴ２４にて登録履歴メモリ４２に組合せ商品コードと一致する買上商品コードが存在しなかった場合には、ＣＰＵ１１は、ＳＴ２９として登録明細メモリ４１を検索して、組合せ商品コードに一致する商品コードの有無を判断する。そして、組合せ商品コードに一致する商品コードを検出した場合には、ＣＰＵ１１は、前記ＳＴ２６〜ＳＴ２８の各処理を実行する。すなわち、対象商品コードであったＡ番目商品コードと組合せ商品コードと一致した登録明細メモリ４１内の商品コード及びその登録日付と値引額を成立組合せメモリ４３に格納する。また、値引額メモリ４４に値引額を加算する（サービス処理手段）。さらに、登録明細メモリ４１のＡ番目商品コードに対応する値引済フラグと、組合せ商品コードと一致した商品コードに対応する値引済フラグとを、それぞれ“１”にセットする。
【００３０】
こうして、登録明細メモリ４１から値引済フラグがセットされていない商品コードを取得する毎に、ＣＰＵ１１は、ＳＴ２１以降の処理を実行する。そして、登録明細メモリ４１からＡ番目の商品コードを取得できなかったならば、ＣＰＵ１１は、この組合せ値引検索処理を終了する。
【００３１】
組合せ値引検索処理を終了すると、ＣＰＵ１１は、ＳＴ１３として決済処理を実行する。この決済処理は、登録明細メモリ４１に記憶された商品コードで特定される商品の合計金額を算出し、この合計金額から値引額メモリ４４に記憶されている値引額を減額して、請求金額を算出する。そして、この請求金額に対する顧客の支払データを処理するものである。
【００３２】
決済処理を終了すると、ＣＰＵ１１は、ＳＴ１４として登録明細メモリ４１の全データを登録履歴メモリ４２に追記する（買上商品履歴追加手段）。しかる後、ＣＰＵ１１は、ＳＴ１６として登録履歴メモリ４２のデータをメモリカードインターフェイス１６を介してメモリカード６のメモリに上書き保存したならば、登録中フラグを“０”にリセットして、今回取引の処理を終了する。
【００３３】
このように構成された本実施の形態において、今、２００２年２月１２日時点において、図３に示す組合せ条件データの組合せ条件ファイル７がストアコンピュータに新たに設定されたとする。この日に、図２に示す登録履歴データが保存されたメモリカード６を有する会員がいずれかの店舗Ａ，Ｂで商品を購入し、ＰＯＳターミナル１の登録明細メモリ４１に図８に示すデータが格納されたとすると、そのＰＯＳターミナル１では、次の手順で組合せ値引検索処理が実行される。
【００３４】
先ず、登録明細メモリ４１から１番目の商品コード「1111111111111」（商品Ａ）が取得される。この商品コード「1111111111111」は対象商品コードなので、ストアコンピュータ２から組合せ商品コード「1234567890123」（商品Ｆ）と指定期間１０日と値引額２５円が取得される。そして、図２に示すデータが記憶された登録履歴メモリ４２が図中上から順番に検索される。その結果、買上日付２００４年２月２日の最初の買上商品コード「1234567890123」が組合せ商品コードとして検出される。その買上日付は指定期間内なので商品組合せ条件が成立し、値引額２５円が値引額メモリ４４に加算される。
【００３５】
次に、登録明細メモリ４１から２番目の商品コード「1111111111111」（商品Ａ）が取得される。この場合は、登録履歴メモリ４２を検索した結果、買上日付２００４年２月２日の最初の買上商品コード「1234567890123」は対応する値引額フラグがセットされているので、２番目の買上商品コード「1234567890123」が組合せ商品コードとして検出される。その買上日付は指定期間内なので商品組合せ条件が成立し、値引額２５円が値引額メモリ４４に加算される。
【００３６】
次に、登録明細メモリ４１から３番目の商品コード「0123456789012」（商品Ｂ）が取得される。この商品コード「0123456789012」は対象商品コードなので、ストアコンピュータ２から組合せ商品コード「6789012345678」（商品Ｇ）と指定期間８日と値引額３５円が取得される。そして、登録履歴メモリ４２が検索され、買上日付２００４年２月４日の最初の買上商品コード「6789012345678」が組合せ商品コードとして検出される。その買上日付は指定期間内なので商品組合せ条件が成立し、値引額３５円が値引額メモリ４４に加算される。
【００３７】
次に、登録明細メモリ４１から４番目の商品コード「2222222222222」（商品Ｃ）が取得される。この商品コード「2222222222222」は対象商品コードなので、ストアコンピュータ２から組合せ商品コード「3333333333333」（商品Ｅ）と指定期間３０日と値引額１０円が取得される。そして、登録履歴メモリ４２が検索される。この場合、登録履歴メモリ４２には、組合せ商品コードと一致する買上商品コードが存在しない。そこで、登録明細メモリ４１が検索される。その結果、６番目の商品コードが組合せ商品コードと一致するので商品組合せ条件が成立し、値引額１０円が値引額メモリ４４に加算される。
【００３８】
次に、登録明細メモリ４１から５番目の商品コード「4444444444444」（商品Ｄ）が取得される。この商品コード「4444444444444」は対象商品コードなので、ストアコンピュータ２から組合せ商品コード「7890123456789」（商品Ｅ）と指定期間３０日と値引額２０円が取得される。そして、登録履歴メモリ４２が検索され、買上日付２００４年２月２日の買上商品コード「7890123456789」が組合せ商品コードとして検出される。その買上日付は指定期間内なので商品組合せ条件が成立し、値引額２０円が値引額メモリ４４に加算される。かくして、図９に示す内容の買上レシート５０が印字発行される。
【００３９】
一方、この会員の商品購入日がその翌日の２００２年２月１３日であった場合には、次の手順で組合せ値引検索処理が実行される。先ず、１番目の商品コード「1111111111111」（商品Ａ）に対しては、買上日付２００２年２月２日は指定期間外なので、買上日付２００２年２月４日の買上商品コード「1234567890123」（商品Ｆ）が組合せ商品コードとして検出され、商品組合せ条件が成立する。
【００４０】
ところが、２番目の商品コード「1111111111111」（商品Ａ）に対しては組合せ商品コードが検出されないので、商品組合せ条件が不成立となる。また、３番目の商品コード「0123456789012」（商品Ｂ）についても、組合せ商品コードに一致する買上商品コード「6789012345678」の買上日付が指定期間外なので、商品組合せ条件が不成立となる。その結果、図１０に示す内容の買上レシート６０が印字発行される。
【００４１】
このように本実施の形態によれば、まとめ値引対象の商品組合せ条件が組合せ条件ファイル７に新たに設定された際に、その対象となる一方の商品を同一店若しくは系列店で過去に購入していれば他方の商品をファイル設定日以後に購入することによって値引サービスを受けることができる。したがって、顧客への更なるサービスを向上でき、顧客の囲い込みが期待できるようになる。
【００４２】
また、商品組合せ条件に期間データが含まれており、この期間データにより指定された期間内の過去取引の買上商品情報から特定の商品組合せ条件が成立するか否かを判定しているので、顧客の買上履歴データを蓄積記憶する単純な運用であっても、店舗側にとって著しく古い買上履歴から商品組合せ条件が成立してしまう不具合をなくすことができる。
【００４３】
なお、前記一実施の形態では顧客の買上履歴データをメモリカード６に蓄積したが、本部サーバ用コンピュータ３に接続された顧客データベース８に会員別に蓄積記憶するようにし、メモリカード６は会員の特定のみに使用するようにしてもよい。
【００４４】
また、前記実施の形態では、２つの商品の組合せを条件成立の要素としたが、３つ以上の商品の組合せを条件成立の要素としてもよい。また、同一商品の買上点数を条件成立の要素としてもよい。
【００４５】
また、前記実施の形態では、ストアコンピュータ２が組合せ条件ファイル７を記憶したが、各ＰＯＳターミナル１がそれぞれ組合せ条件ファイル７を記憶してもよい。また、商品組合せ条件成立時のサービスの種類は値引に限定されるものではなく、割引，ポイント割増．クーポン券の発行等のサービス処理を行うものであってもよい。
【００４６】
この他、本発明を単体の電子式キャッシュレジスタに適用する等、本発明の要旨を逸脱しない範囲で種々変形実施可能であるのは勿論である。
【図面の簡単な説明】
【００４７】
【図１】本発明の一実施の形態である小売店システムの全体構成図。
【図２】同実施の形態においてメモリカードに記憶保存される登録履歴データの一例を示す模式図。
【図３】同実施の形態においてストアコンピュータに記憶保持される組合せ条件ファイルを示す模式図。
【図４】同実施の形態におけるＰＯＳターミナルの要部構成を示すブロック図。
【図５】同ＰＯＳターミナルのＲＡＭに形成される主要なメモリエリアを示す模式図。
【図６】同ＰＯＳターミナルのＣＰＵが実行する登録モード処理の要部を示す流れ図。
【図７】図６における組合せ値引検索処理を具体的に示す流れ図。
【図８】登録明細メモリの一データ例を示す模式図。
【図９】買上レシートの一発行例を示す模式図。
【図１０】買上レシートの一発行例を示す模式図。
【符号の説明】
【００４８】
１…ＰＯＳターミナル、２…ストアコンピュータ、６…メモリカード、７…組合せ条件ファイル、８…顧客ファイル、１１…ＣＰＵ、１４…時計部、１６…メモリカードインターフェイス、４１…登録明細メモリ、４２…登録履歴メモリ、４３…成立組合せメモリ、４４…値引額メモリ。
【図１】
2005234951.tif 000003
【図２】
2005234951.tif 000004
【図３】
2005234951.tif 000005
【図４】
2005234951.tif 000006
【図５】
2005234951.tif 000007
【図６】
2005234951.tif 000008
【図７】
2005234951.tif 000009
【図８】
2005234951.tif 000010
【図９】
2005234951.tif 000011
【図１０】
2005234951.tif 000012